(57)【要約】【課題】ＶＰＮにおいてセキュリティが確保された管理情報を各ＶＰＮ装置に配布することが可能なシステムを提供する。【解決手段】開放型ネットワークに接続され、各種設定データやセキュリティデータを管理するリモートマネージメントサーバーと、複数のクライアント端末と、通信用にパケットのヘッダを変換する機能及び通信パケットを暗号化する機能を備え、クライアント端末と開放型ネットワークとの間に配置されて、クライアント端末間でＶＰＮ（Ｖｉｒｔｕａｌ  Ｐｒｉｖａｔｅ  Ｎｅｔｗｏｒｋ）を構成するために用いられるＶＰＮ装置と、で構成されるシステムに用いられるＶＰＮ装置であって、リモートマネージメントサーバーが管理する管理情報を、前記リモートマネージメントサーバーに要求して配布をうけることを特徴とする。【選択図】  図１
2004297749.tif 000002
【特許請求の範囲】
【請求項１】
開放型ネットワークに接続され、各種設定データやセキュリティデータを管理するリモートマネージメントサーバーと、
複数のクライアント端末と、
通信用にパケットのヘッダを変換する機能及び通信パケットを暗号化する機能を備え、クライアント端末と開放型ネットワークとの間に配置されて、クライアント端末間でＶＰＮ（Ｖｉｒｔｕａｌ  Ｐｒｉｖａｔｅ  Ｎｅｔｗｏｒｋ）を構成するために用いられるＶＰＮ装置と、で構成されるシステムに用いられるＶＰＮ装置であって、
リモートマネージメントサーバーが管理する管理情報を、前記リモートマネージメントサーバーに要求して配布をうけることを特徴とするＶＰＮ装置。
【請求項２】
開放型ネットワークに接続され、各種設定データやセキュリティデータを管理するリモートマネージメントサーバーと、
複数のクライアント端末と、
通信用にパケットのヘッダを変換する機能及び通信パケットを暗号化する機能を備え、クライアント端末と開放型ネットワークとの間に配置されて、クライアント端末間でＶＰＮ（Ｖｉｒｔｕａｌ  Ｐｒｉｖａｔｅ  Ｎｅｔｗｏｒｋ）を構成するために用いられるＶＰＮ装置と、で構成されるシステムに用いられるＶＰＮ装置であって、
リモートマネージメントサーバーが管理する稼動状況を、前記リモートマネージメントサーバーに所定の間隔ごとに報告すること、を特徴とするＶＰＮ装置。
【請求項３】
開放型ネットワークに接続され、各種設定データやセキュリティデータを管理するリモートマネージメントサーバーと、
複数のクライアント端末と、
通信用にパケットのヘッダを変換する機能及び通信パケットを暗号化する機能を備え、クライアント端末と開放型ネットワークとの間に配置されて、クライアント端末間でＶＰＮ（Ｖｉｒｔｕａｌ  Ｐｒｉｖａｔｅ  Ｎｅｔｗｏｒｋ）を構成するために用いられるＶＰＮ装置と、で構成されるシステムに用いられるリモートマネージメントサーバーであって、
リモートマネージメントサーバーが管理する管理情報を、前記ＶＰＮ装置から要求されて配布することを特徴とするリモートマネージメントサーバー。
【請求項４】
開放型ネットワークに接続され、各種設定データやセキュリティデータを管理するリモートマネージメントサーバーと、
複数のクライアント端末と、
通信用にパケットのヘッダを変換する機能及び通信パケットを暗号化する機能を備え、クライアント端末と開放型ネットワークとの間に配置されて、クライアント端末間でＶＰＮ（Ｖｉｒｔｕａｌ  Ｐｒｉｖａｔｅ  Ｎｅｔｗｏｒｋ）を構成するために用いられるＶＰＮ装置と、で構成されるシステムに用いられるリモートマネージメントサーバーであって、
リモートマネージメントサーバーが管理する稼動状況を、前記ＶＰＮ装置から所定の間隔ごとに報告されること、を特徴とするリモートマネージメントサーバー。
【発明の詳細な説明】
【０００１】
【発明の属する技術分野】
この発明は、ＶＰＮ（Ｖｉｒｔｕａｌ  Ｐｒｉｖａｔｅ  Ｎｅｔｗｏｒｋ）内のセキュリティの保持に関し、特にリモートマネージメントサーバー（以下、この明細書では「ＲＭＳ」と記す）が一元管理する各種設定データやセキュリティデータ（以下、この明細書では「管理情報」という）をセキュリティポリシーに基づいてＶＰＮに接続されたＶＰＮ装置へ配布する装置及び方法に関する。
【０００２】
【従来の技術】
近年、ＶＰＮを用いたビジネスソリューションが数多く提案されている。ここで、ＶＰＮとは、インターネットを経由するにもかかわらず、拠点間を専用線のように相互に接続し、安全な通信を可能にするセキュリティ技術であり、「仮想専用線」「仮想私設網」などとも呼ばれる技術である。ＶＰＮは、コストのかかる専用線の代替になる新しいインフラとして、企業等を中心に着実に浸透している。ＶＰＮを利用した通信を行うには、接続点に所定の機能を備えた専用装置（以下、この明細書では「ＶＰＮ装置」と記す）が必要だが、最近ではルータやファイアウォールにその機能が含まれるものも多い。
【０００３】
ＶＰＮの機能は大きく分けて２つある。１つは、ＶＰＮの通信用にパケットのヘッダを変換する機能である。これはＶＰＮ装置によって処理されるが、それにより本来はＩＰパケットのみしか通らないインターネットに、たとえばプライベートアドレスや、ＴＣＰ／ＩＰでないプロトコルを利用した通信も可能になる。この機能は、インターネット通信の中に別の通信を通すという意味合いから「トンネリング」と呼ばれる。もう１つは、通信パケットを暗号化する機能である。これにより、トンネリングされたパケットの盗聴を防止し、かつ通信相手先（通信経路）を隠蔽することができる。
【０００４】
ＶＰＮ機能の実装はＶＰＮ装置に依存するため、基本的には同じ（ベンダーの）装置でなければ通信はできない。だが、インターネット技術の標準化を進めるＩＥＴＦにより、ＩＰｓｅｃ（Ｉｎｔｅｒｎｅｔ  Ｐｒｏｔｏｃｏｌ  Ｓｅｃｕｒｉｔｙ）というパケットの暗号化と認証技術が標準化されている。そのため、ＩＰｓｅｃをサポートしたＶＰＮ装置であれば、互いに通信が可能とされている。
【０００５】
また、ＶＰＮはＬＡＮを相互接続する形態のほかに、ダイヤルアップ接続で利用するリモートアクセス型もある。最近では、ＶＰＮサービスを提供するＩＳＰ（Ｉｎｔｅｒｎｅｔ  Ｓｅｒｖｉｃｅ  Ｐｒｏｖｉｄｅｒ）も増えており、たとえばＷｉｎｄｏｗｓ  ＮＴ  ４．０／２０００  ＳｅｒｖｅｒでサポートされているＰＰＴＰ（Ｐｏｉｎｔ  ｔｏ  Ｐｏｉｎｔ  Ｔｕｎｎｅｌｉｎｇ  Ｐｒｏｔｏｃｏｌ）を使って接続することができる。リモートアクセス型のＶＰＮでは、ＶＰＮサービスを提供するＩＳＰが構築した環境を利用することが容易になるため、比較的小規模の企業や組織においても導入しやすいメリットがある。
【０００６】
このようなＶＰＮでは、ＶＰＮ全体のセキュリティコントロールが最も重要な問題の一つとなる。すなわち、ＶＰＮを構成するすべてのサーバーやクライアントがすべて同じセキュリティレベルを備えていることが必須の条件となる。そこで、ＶＰＮの管理者は、ＶＰＮにおけるセキュリティポリシーを確立し、それをデータとして一元的に管理し、必要に応じてＶＰＮを構成する各エレメントにセキュリティの遵守を徹底させなければならない。
【０００７】
ここで、セキュリティポリシーとは、組織内のセキュリティに関する基本的な方針や行動指針を意味する。特に企業などでインターネットを活用している場合、セキュリティに関して配慮する必要があるのはいうまでもない。ただし、セキュリティとはある一定の状態を指すものではなく、組織によって目指すところはまちまちである。つまり、何をどのような手段で守るべきか、それにどの程度のコストを投じるべきかは、組織によってまったく異なるのが普通である。
【０００８】
例えば、ファイアウォールでも、どのようなパケットを通過させ、どのようなパケットを遮断するのかは、運用時に柔軟な設定が可能である。このとき、設定のよりどころとなるのがその組織のセキュリティポリシーである。どのようなネットワークアプリケーションの利用を許すかといったことから、組織内のユーザーをアクセス権限ごとにグループ分けするなど、セキュリティ対策にはさまざまなアプローチがあり、汎用的な正解というものはない。組織が必要とするネットワークの利用法や、組織内にあるリソースの量や質、そして業務内容にも影響を受けるからである。
【０００９】
セキュリティポリシーは、こうした複雑な要素を総合的に判断して策定される。そして、これに基づいてネットワーク環境を構成する個々の要素それぞれに適切な設定を行ないながら、そのポリシーを維持、運用していく。このセキュリティポリシーは不変ではあり得ない。新しいネットワークアプリケーションの出現や、新たなセキュリティ侵害手法の登場などを受け、刻々変化し続けるからである。セキュリティポリシーが確立されると、そのポリシーに基づいて、管理情報が決定される。管理情報には、具体的には以下のような内容が含まれる。
（１）セキュリティに関するもの
（ａ）ネットワークコンプライアンスに関する情報（パケットフィルタリング、暗号鍵等）
（ｂ）ネットワークトポロジーに関する情報（クライアント端末数等）
（２）設定に関するもの
（ａ）接続のための情報（ローカルＩＰアドレスやプロトコル等）
（ｂ）ＯＳやアプリケーションに関する情報（ＯＳやアプリケーションのヴァージョンの情報等）
【００１０】
このような状況において、従来のＶＰＮによる暗号通信ではＶＰＮ装置へ配布する管理情報をＲＭＳで一元管理し、セキュリティポリシーに基づき必要に応じて所定のプロトコルを用いてＲＭＳからＶＰＮ装置へ強制配布することをおこなっていた。このような、管理情報の配信方法としては、例えば特開２０００−２５１１３５号に管理情報のうち、セキュリティポリシーに関するデータをＶＰＮ装置に配信する際に、配布される管理情報を分割してセキュリティレベルを向上させる技術が提案されている。
【００１１】
【先行技術文献】
特開２０００−２５１１３５号
【００１２】
【発明が解決しようとする課題】
しかしながら、上記特許文献をはじめとする従来の管理情報の配布では、公開されたプロトコルを用いるので、第三者によって配布中の管理情報が盗まれる可能性が高かった。すなわち、管理情報が配布される場合は、各クライアント端末に通常のプロトコルでアクセスするため、クライアント端末にセキュリティホールを生成していることと等価であるからである。したがって、管理情報が配布されるごとに各端末は開放型のネットワーク（例えばインターネット）に対して無防備になってしまうという問題があった。
【００１３】
そこで、この発明は、ＶＰＮにおいてセキュリティが確保された管理情報を各ＶＰＮ装置に配布することが可能なシステムを提供することを目的とする。また、さらにＶＰＮにおいてセキュリティが確保された各ＶＰＮ装置の稼動状況を容易に把握することが可能なシステムを提供することを目的とする。
【００１４】
【課題を解決するための手段】
上記目的を達成するために、本発明のＶＰＮ装置は、開放型ネットワークに接続され、各種設定データやセキュリティデータを管理するリモートマネージメントサーバーと、複数のクライアント端末と、通信用にパケットのヘッダを変換する機能及び通信パケットを暗号化する機能を備え、クライアント端末と開放型ネットワークとの間に配置されて、クライアント端末間でＶＰＮ（ＶｉｒｔｕａｌＰｒｉｖａｔｅ  Ｎｅｔｗｏｒｋ）を構成するために用いられるＶＰＮ装置と、で構成されるシステムに用いられるＶＰＮ装置であって、リモートマネージメントサーバーが管理する管理情報を、前記リモートマネージメントサーバーに要求して配布をうけることを特徴とする。
【００１５】
また、上記目的を達成するために、本発明のＶＰＮ装置は、開放型ネットワークに接続され、各種設定データやセキュリティデータを管理するリモートマネージメントサーバーと、複数のクライアント端末と、通信用にパケットのヘッダを変換する機能及び通信パケットを暗号化する機能を備え、クライアント端末と開放型ネットワークとの間に配置されて、クライアント端末間でＶＰＮ（Ｖｉｒｔｕａｌ  Ｐｒｉｖａｔｅ  Ｎｅｔｗｏｒｋ）を構成するために用いられるＶＰＮ装置と、で構成されるシステムに用いられるＶＰＮ装置であって、リモートマネージメントサーバーが管理する稼動状況を、前記リモートマネージメントサーバーに所定の間隔ごとに報告すること、を特徴とする。
【００１６】
【発明の実施の形態】
この発明のシステム構成の一例を、図１に示す。図１のシステムは、ＲＭＳ１００とＶＰＮ装置２００、クライアント端末３００とを含むリモートアクセス型のＶＰＮである。ＲＭＳ１００は、各ＶＰＮ装置２００に配布すべき管理情報を一元管理するとともに、ＶＰＮ装置２００の稼動状況を管理する。ＶＰＮ装置２００は、ＲＭＳ１００から管理情報を取得し、取得した管理情報に基づいて、暗号通信を実現する。ＶＰＮ装置２００は、複数のクライアント端末と接続され、上記複数のクライアント端末を利用するユーザから暗号通信の要求を受けつけ、暗号通信を実現する。
【００１７】
図２は、ＲＭＳ１００の構成の一例を表す図である。入力部１１０は、管理担当ユーザとのインタフェースをつかさどり、管理担当ユーザからの情報の入力を受けつける。また、管理担当ユーザへＲＭＳ１００からの通知を出力する。管理担当ユーザは、入力部１１０を介して必要な管理情報を入力する。入力部１１０は、管理担当ユーザが指定する管理情報の入力、その他管理担当ユーザからの指示、等の入力を受けつける。
【００１８】
管理部１２０は、入力部１１０で受けつけた情報のうち、セキュリティに関する情報に基づいて、新たな管理情報を生成して更新する。また、管理部１３０は、入力部１１０から入力された要求（指示）、あるいは、後述する管理側通信部１３０が受信した情報を解析し、処理を実施する機能を選択し、選択した機能を実施するＶＰＮ装置２００へ、処理の実行を指示する。その他、管理部１２０は、全体を制御する。
【００１９】
管理側通信部１３０は、ネットワークを介して、ＶＰＮ装置２００と通信するインタフェースである。
【００２０】
認証管理部１４０は、送信する情報（管理情報を含む）を暗号化し、暗号化した情報へ認証書を付加する。また、認証管理部１４０は、受信した情報（管理情報を含む）に添付された認証書を認証し、認証した情報を復号する。暗号化・復号部１４１は、上記１９３に格納された暗号情報に基づいて、情報を暗号化・復号する。認証書部１４２は、上記認証書格納部１９３に格納された認証書を用いて、暗号化した情報へ認証書を付加し、逆に受信した情報に付加された認証書を認証する。
【００２１】
管理情報格納部１９１は、管理部１２０が生成した管理情報を格納する。管理情報は、ネットワークコンプライアンスに関する情報（パケットフィルタリング、暗号鍵等）、ネットワークトポロジーに関する情報（クライアント端末数等）、接続のための情報（プロトコル等）、ＯＳやアプリケーションに関する情報（ヴァージョンの情報等）を含んでおり、特に、暗号化した情報を通信する通信先を特定する情報と、暗号化・復号に関する情報と、認証書とを含む。暗号化・復号に関する情報は、暗号化するときに使用する鍵を生成するための情報（パラメータ）等であってもよいし、暗号鍵そのものであってもよい。管理情報格納部１９１は、各ＶＰＮ装置毎の管理情報を各装置を識別する装置ＩＤ（Ｉｄｅｎｔｉｆｉｃａｔｉｏｎ  Ｎｕｍｂｅｒ）に対応付けて格納する。
【００２２】
暗号化情報格納部１９２は、暗号化に関する情報（暗号情報）を格納する。暗号情報は、通信先の装置ＩＤと暗号鍵とを含む。暗号化情報格納部１９２は、各装置毎の暗号情報を、各装置を識別する装置ＩＤに対応付けて格納する。
【００２３】
認証書格納部１９３は、認証書を格納する。認証書は、認証局（図２では図示していないが、ＲＭＳ１００に備える）によって発行される。
【００２４】
稼動状況格納部１９４は、各ＶＰＮ装置の稼動状況に関する情報（稼働情報）を格納する。稼動情報は、通信先の装置ＩＤと暗号鍵とを含む。稼動状況格納部１９４は、各装置毎の稼動情報を、各装置を識別する装置ＩＤに対応付けて格納する。
【００２５】
図３は、ＶＰＮ装置２００の構成の一例を表す図である。受信側通信部２１０は、ネットワークを介して、ＲＭＳ１００、クライアント端末３００等と通信するインタフェースである。
【００２６】
管理部２２０は、ＲＭＳ１００が受信した情報を解析する。受信した情報について、認証、復号が必要な場合は、認証処理部２４０に指示して行う。解析した結果、情報が管理情報である場合、受信した情報を管理情報格納部２９１へ格納する。
【００２７】
タイマ２３０は、ＶＰＮ装置２００がＲＭＳ１００に対して、管理情報送信要求を行ったり、稼動状況報告を行ったりするインターバルをカウントし、管理部２２０に出力する。
【００２８】
認証処理部２４０は、送信する情報（管理情報を含む）を暗号化し、暗号化した情報へ認証書を付加する。また、認証処理部２４０は、受信した情報（管理情報を含む）に添付された認証書を認証し、認証した情報を復号する。暗号化・復号部２４１は、暗号情報格納部２９３に格納された暗号情報を用いて、情報を暗号化・復号する。認証部２４２は、認証書格納部２９４に格納された認証書を用いて、暗号化した情報へ認証書を付加し、受信した情報に付加された認証書を認証する。ＶＰＮ装置２００が管理情報を受信したときは、認証・復号を行う。管理部２２０で生成された管理情報は、管理情報保管部２９１へ保管される。管理情報保管部２９２に保管される管理情報は、ＶＰＮ装置２００がリクエストする毎に、ＲＭＳ１００から配布され更新される。
【００２９】
暗号情報格納部２９３は、暗号化に関する情報（暗号情報）を格納する。暗号情報は、通信先の装置ＩＤと暗号鍵とを含む。暗号情報格納部２９３は、各装置毎の暗号情報を通信先と、通信先に対応する暗号情報とを格納する。認証書格納部２９２は、認証書を格納する。認証書は、ＲＭＳ１００から配布される。
【００３０】
また、ＲＭＳ１００及びＶＰＮ装置２００は、その他の構成要素を有するが、本願発明に直接関係ない構成要素については、説明を省略する。
【００３１】
次に、動作を説明する。まず、図４に基づいて、ＲＭＳ１００の動作を説明する。なお、以下の処理において、ＲＭＳ１００とＶＰＮ装置２００との間で信号がやり取りされる場合は、すべて暗号化され認証書が付加された情報となる。したがって、以下の記載において、特に記載がない場合は、「送信データ」あるいは「受信データ」とは、暗号化され認証書が付加されたデータを意味するものとする。逆に、単に「データ」と記した場合は、復号され認証書によって認証が行われたデータであることを意味するものとする。そして、「受信データ」あるいは「送信データ」が、説明なく「データ」に置き換えられている場合は、特に断りのない限り、実際には実施されている暗号化と認証あるいは復号と認証のプロセスが記載上省略されていることとする。
【００３２】
はじめに、管理担当ユーザは、ＲＭＳ１００を介して、ＶＰＮを管理するための各種データを入力する。ＲＭＳ１００は、ユーザによって受けつけたデータかあるかをチェックし（Ｓ１０１）、なければ受信データチェックまで処理をすべてスキップする。データがあれば、データを管理部１２０へ出力する（Ｓ１０２）。管理部１２０は、受けつけたデータを分析し、データのうちから、セキュリティに関するもの（ネットワークコンプライアンスに関する情報（パケットフィルタリング、暗号鍵等）及びネットワークトポロジーに関する情報（クライアント端末数等）、あるいは設定に関するもの（接続のための情報（ローカルＩＰアドレスやプロトコル等）及びＯＳやアプリケーションに関する情報（ＯＳやアプリケーションのヴァージョンの情報等））を管理情報として特定し、さらにこれら管理情報を送付すべきＶＰＮ装置の装置ＩＤを抽出する（Ｓ１０３）。生成された管理情報は、送付先のＶＰＮ装置ＩＤと関連付けされた上で管理情報格納部１９１へ格納される（Ｓ１０４）。
【００３３】
次に、ＶＰＮ装置２００からの受信データがあるか否かをチェックする（Ｓ１０５）。ＶＰＮ装置２００からの受信データは、送信元の情報（装置ＩＤ）を含んでいる。チェックの結果、ＶＰＮ装置２００からの受信データがなかったときは、以降の処理をスキップしてはじめに戻る。ＶＰＮ装置２００のいずれかから送信された受信データがあったことを検出した場合は、管理側通信部１３０は受信データを受けつける（Ｓ１０６）。次に、管理部１２０は、データの中に管理情報送信要求が含まれているかいなかをチェックし（Ｓ１０７）、含まれていなかった場合は、以降の処理をスキップＳ１１０へジャンプする。含まれていた場合は、管理部１２０は、データから送信先の情報として装置ＩＤを取得し、取得した装置ＩＤに基づいて管理情報格納部１９１を検索し、送信すべき管理情報を検出する（Ｓ１０８）。送信すべきであるとして特定された管理情報は、認証管理部で送信データとされ管理側通信部１３０から送信処理に付される（Ｓ１０９）。
【００３４】
次に、データの中に稼動状況報告が含まれているかいないかをチェックし（Ｓ１１０）、含まれていなかった場合は、以降の処理をスキップして初期Ｓ１０１に戻る。含まれていた場合は、管理部１２０は、データから送信先の情報として装置ＩＤを取得し、取得した装置ＩＤの稼動状況報告を検出する（Ｓ１１１）。検出された稼動状況報告は、稼動状況格納部１９４に取得したＩＤと関連つけて格納される（Ｓ１１２）。
【００３５】
このように、ＲＭＳ１００は、ＶＰＮ装置２００からの管理情報送信要求があったときにはじめて管理情報を送信するようになっており、自身能動的に管理情報の送信のためのアクションを行うことはしない。また、ＲＭＳ１００は、ＶＰＮ装置２００からの稼動状況報告があったときにはじめて稼動状況を知得するようになっており、自身能動的に稼動状況の確認のためのアクションを行うことはしない。
【００３６】
次に、図５に基づいて、ＶＰＮ装置２００の動作を説明する。ＶＰＮ装置２００は、起動時に管理情報更新用と稼動状況報告用の２つのタイムセットされたカウンタのチェックを行う。はじめに、管理情報更新タイマがカウントアップしたか否かをチェックする（Ｓ２０１）。管理情報更新用タイマが設定タイムに達していない場合は、稼動状況報告タイマのチェックに進む。一方、管理情報更新用タイマが設定タイムに達している場合は、認証管理部２４０は、ＲＭＳ１００に管理情報の配布の管理情報送信要求を生成するための管理情報送信要求を含む送信データを生成する（Ｓ２０２）。生成された送信データをＲＭＳ１００へ送信する（Ｓ２０３）。次に、ＲＭＳ１００からの受信データの中にあるか否かをチェックする（Ｓ２０４）。ＲＭＳ１００からの受信データは、送信元の情報（装置ＩＤ）を含んでいる。チェックの結果、ＲＭＳ１００からの受信データがなかったときは、受信するまで待機する。ＲＭＳ１００のから送信された受信データがあったことを検出した場合は、受信側通信部２１０は受信データを受けつける（Ｓ２０５）。次に、管理部２２０は、データの中に実行ファイルが含まれているかいなかをチェックし、含まれていなかった場合はそのまま、含まれていた場合は実行ファイルを実行した後、管理部１２０はデータから管理情報を特定し（Ｓ２０６）、管理情報を管理情報格納部２９１に格納する（Ｓ２０７）。格納後、管理情報更新用のカウンタをリセットし（Ｓ２０８）て、スタートに戻る（Ｓ２０９）。
【００３７】
一方、Ｓ２０１で管理情報更新タイマが設定タイムに達していない場合は、引き続き、稼動状況報告用タイマが設定タイムに達しているかをチェックする（Ｓ２１０）。チェックの結果、設定タイムに達していない場合はＳＴＡＲＴに戻り、達している場合は、認証管理部２４０は、ＲＭＳ１００に稼動状況報告を生成するため送信データを生成する（Ｓ２１１）。生成された送信データをＲＭＳ１００へ送信する（Ｓ２１２）。送信後、稼動状況報告用のカウンタをリセットし（Ｓ２１３）て、スタートに戻る（Ｓ２１４）。
【００３８】
このように、ＶＰＮ装置２００は、管理情報送信要求を行ったときにはじめて管理情報を受信するようになっており、受動的に管理情報の受信ではない。また、ＲＭＳ１００は、稼動状況報告があったときにはじめて稼動状況を報告するようになっており、受動的に稼動状況の確認が行われることはない。
【００３９】
【発明の効果】
以上のように、本実施形態によれば、ＶＰＮ装置からの要求があったときにのみ、ＲＭＳから管理情報が配布されるので、高いセキュリティ環境を維持したまま、セキュリティポリシーに基づくＶＰＮのセキュリティ管理を行うこと可能である。また、ＶＰＮ装置からの報告があったときにのみ、ＲＭＳから稼動状況報告が成されるので、高いセキュリティ環境を維持したまま、セキュリティポリシーに基づくＶＰＮのセキュリティ管理を行うこと可能である。
【図面の簡単な説明】
【図１】本発明にかかるリモートアクセス型のＶＰＮの構成図
【図２】ＲＭＳ１００の内部構成を示すブロック図
【図３】ＶＰＮ装置２００の内部構成を示すブロック図
【図４】ＲＭＳ１００の処理を示すフロー図
【図５】ＶＰＮ装置２００の処理を示すフロー図
【符号の説明】
１００：ＲＭＳ
２００：ＶＰＮ装置
３００：クライアント端末
【図１】
2004297749.tif 000003
【図２】
2004297749.tif 000004
【図３】
2004297749.tif 000005
【図４】
2004297749.tif 000006
【図５】
2004297749.tif 000007